(57)【要約】【課題】  ミキサ操作子の機能設定を容易に行えるようにする。それにより、使用状況によって一つのミキサ操作子を複数の機能に使い分け、容易にミキシング操作を行うことを可能にする。【解決手段】  複数の入力信号に対して行われる信号処理あるいは混合処理の機能を示したブロック図を表示する表示過程と、 前記ブロック図に表示された機能から特定の機能を選択する選択過程と、前記特定の機能を操作子（１２１，１２２，１２３）に割り当てる割当過程とを設けた。【選択図】  図３
2006050115.tif 000002
【特許請求の範囲】
【請求項１】
複数の入力信号に対して行われる信号処理あるいは混合処理の機能を示したブロック図を表示する表示過程と、
前記ブロック図に表示された機能から特定の機能を選択する選択過程と、
前記特定の機能を操作子に割り当てる割当過程と
を処理装置に実行させることを特徴とする操作子機能設定方法。
【請求項２】
複数の種類の操作子を表示する操作子表示過程をさらに有し、
前記割当過程は、前記選択された機能を前記操作子表示過程において表示された各操作子から選択した操作子に割り当てる過程である
ことを特徴とする請求項１記載の操作子機能設定方法。
【請求項３】
請求項１ないし２の何れかに記載の操作子機能設定方法を実行することを特徴とする操作子機能設定装置。
【請求項４】
請求項１ないし２の何れかに記載の操作子機能設定方法を処理装置に実行させることを特徴とするプログラム。
【発明の詳細な説明】
【技術分野】
【０００１】
本発明は、音響機器、特にミキシング装置に用いて好適な操作子機能設定方法、操作子機能設定装置およびプログラムに関する。
【背景技術】
【０００２】
従来より、複数の入力信号について入力レベル調整・イコライザ調整等の信号処理を行い、それらの信号を混合処理するミキシング装置には、スイッチ、ツマミ、フェーダ等の多数の操作子が設けられており、それぞれに機能名が刻印等によって表示されている。一方、入力信号はこれらのスイッチ等に基づいて信号処理・混合処理がされるため、この処理機能とスイッチ等との関係を図式化したブロック図が取扱説明書等に記載されている。
【０００３】
【非特許文献１】「ＤＭ２０００取扱説明書」  ヤマハ株式会社，平成１４年２月
【発明の開示】
【発明が解決しようとする課題】
【０００４】
ところが、信号処理の機能は多種類であるので、操作子がきわめて多数使用されている。また、操作パネル上の一つの操作子がブロック図上に示される複数のスイッチ等に設定され、使用状況によって使い分けられることもある。したがって、初心者にとっては、必要とする機能を実現するために何れの操作子を操作すればよいのか判断に迷う場合があるという問題点があった。
この発明は、上述した事情に鑑みてなされたものであり、必要とする機能と、対応する操作子との関連性をユーザが容易に認識できる操作子機能設定方法、操作子機能設定装置およびプログラムを提供することを目的とする。
【課題を解決するための手段】
【０００５】
上記課題を解決するため本発明にあっては、下記構成を具備することを特徴とする。なお、括弧内は例示である。
請求項１記載の操作子機能設定方法にあっては、複数の入力信号に対して行われる信号処理あるいは混合処理の機能を示したブロック図を表示する表示過程（ＳＰ２０）と、前記ブロック図に表示された機能から特定の機能を選択する選択過程と、前記特定の機能を操作子（スイッチ、ロータリーエンコーダ、フェーダ）に割り当てる割当過程とを処理装置に実行させることを特徴とする。
さらに、請求項２記載の構成にあっては、請求項１記載の操作子機能設定方法において、複数の種類の操作子を表示する操作子表示過程（ＳＰ４５）をさらに有し、前記割当過程は、前記選択された機能を前記操作子表示過程において表示された各操作子から選択した操作子に割り当てる過程（ＳＰ５０）であることを特徴とする。
また、請求項３記載の操作子機能設定装置にあっては、請求項１ないし２の何れかに記載の操作子機能設定方法を実行することを特徴とする。
また、請求項４記載のプログラムにあっては、請求項１ないし２の何れかに記載の操作子機能設定方法を処理装置に実行させることを特徴とする。
【発明の効果】
【０００６】
このように、本発明の構成によれば、複数の入力信号に対して行われる信号処理あるいは混合処理の機能を示したブロック図に表示された機能から選択した特定の機能を操作子に割り当てることができるから、ユーザは当該機能と当該操作子との関連性を容易に認識することができる。
【発明を実施するための最良の形態】
【０００７】
1．実施例の構成
次に、本発明の一実施例であるミキシング装置（操作子機能設定装置）の構成を図１を参照し説明する。
図１において、１０は入力インターフェースであり、デジタル音声信号が入力され、或いはアナログ音声信号がデジタル音声信号に変換されて入力される。１５は出力インターフェースであり、デジタル音声信号が出力され、あるいは該デジタル音声信号がアナログ音声信号に変換されて出力される。なお、入力端子、出力端子は複数設けられ、ステレオ信号にも対応している。２０はＤＳＰであり、入力信号をデジタル信号処理する。３０は操作部であり、各種スイッチ、ツマミから構成される。以下、操作部について図２のパネル外観図を参照して説明する。
【０００８】
図２において、１１０はチャンネルストリップであり、各入力信号毎に設けられている。チャンネルストリップ１１０は、各入力信号を混合するための信号として選択するか否かを設定するセレクタスイッチ１１１と、入力信号を左右の各出力チャンネルに分配するＰＡＮ操作子１１２と、低音、中音、高音の各周波数特性を調整するイコライザ機能の各操作子１１６，１１７，１１８と、入力レベルを調節するフェーダ１１３とが設けられている。１２０はオペレータストリップであり、スイッチ１２１とロータリーエンコーダ１２２とフェーダ１２３との各操作子が設けられ、操作者が希望する機能に該操作子が設定される。１３０はアサインスイッチであり、押下毎に通常モードとアサインモードとを切り替える。ここで、通常モードとは、チャンネルストリップ１１０あるいはオペレータストリップ１２０の各操作子を用いて、入力レベルの調整等の信号処理および混合処理を行うモードである。また、アサインモードとは、信号処理および混合処理の各機能をブロック図として表示器に表示し、必要に応じて各機能をオペレータストリップ１２０の操作子に割当てるモードである。なお、アサインモードの際にはアサインスイッチ１３０が照光する。
【０００９】
再び図１において、４０は表示部であり、液晶パネルにより構成される。５０はＣＰＵであり、各部を制御する。６０はＲＡＭであり、ワークメモリとして使用される。７０はＲＯＭであり、プログラム、パラメータが記憶される。なお、各部はバスライン８０を介して命令やデータの授受を行っている。以上の構成要素により、ミキシング装置１００が構成される。
【００１０】
2．実施例の動作
本実施例のミキシング装置１００の動作を説明する。電源投入時においては、動作モードが通常モードに設定される。そして、チャンネルストリップ１１０あるいはオペレータストリップ１２０の操作子の操作、マウス移動、マウス操作、アサインスイッチ１３０の押下等の各操作子の操作が行われる毎に図４に示されるルーチンが割り込み処理により起動する。まず、チャンネルストリップ１１０の操作子の操作が行われたとする。
【００１１】
ステップＳＰ５においては、動作モード管理処理が行われる。動作モード管理処理は、アサインスイッチ１３０が押下された場合の起動とその他の起動とで処理が異なる。アサインスイッチ１３０が押下された場合の起動においては、アサインモードと通常モードとが変更される。しかし、他の操作による起動によっては、モードの変更が行われない。今回の起動は、チャンネルストリップ１１０の操作子操作による起動であるので、モードの変更が行われず、通常モードに動作モードが維持される。そして、処理はステップＳＰ１０に進み、アサインモードであるか否かの判定が行われる。ここでは、動作モードがアサインモードに設定されていないので、「ＮＯ」と判定され、処理はステップＳＰ１５に進み、通常処理が行われる。すなわち、チャンネルストリップ１１０の操作子の操作状態に基づいて、イコライザ調整、入力レベル調整等の信号処理および混合処理の設定が行われる。そして、割り込み処理が終了する。
【００１２】
次に、アサインスイッチ１３０が押下されると、図４のルーチンが再び起動する。そして、ステップＳＰ５において、電源投入時の通常モードからアサインモードにモード変更が行われる。したがって、ステップＳＰ１０においては、「ＹＥＳ」と判定され、処理はステップＳＰ２０に進む。ステップＳＰ２０においては、処理機能等を記載したブロック図およびマウスカーソルが表示部４０に表示され、必要に応じてブロック図のスクロールや画面切替が行われる。ここで、図３を参照してブロック図の内容を説明する。
【００１３】
図において、１５１はフェーダ操作子画像、１５３はセレクタスイッチ操作子画像である。１５５はイコライザユニット画像であり、イコライザ機能を表現している。１４０は出力側イコライザユニット画像であり、ミキシングバスの出力信号に周波数特性を付与する。さらに、これらの操作子、機能を介した入力信号が、他の複数の入力信号とミキシングバスを介して混合されることが該ブロック図によって表現されている。なお、イコライザユニット画像１５５，１４０に付随してＨＩＧＨ用、ＭＩＤ用、ＬＯＷ用を表現する各イコライザ操作子画像１５６，１５７，１５８が表示されている。
【００１４】
そして、ブロック図の表示後、処理はステップＳＰ２５に進み、既にブロック図上で指定された操作子画像が存在するか否かが判定される。初回実行時には、ブロック図上で操作子画像の指定が行われないので、「ＮＯ」と判定され処理はステップＳＰ３０に進む。ステップＳＰ３０においては、ブロック図上の操作子画像指定操作イベントが発生したか否かが判定される。ここで、操作子画像上でマウスの左クリック操作の有無が判定されるが、初回実行時には左クリックされないので、「ＮＯ」と判定され、割り込み処理が終了する。
【００１５】
ところで本実施例においては、オペレータストリップ１２０の操作子の操作によって、操作子画像が表示する処理機能の一部が実現される。該処理機能の一部をオペレータストリップ１２０の各操作子に割り当てるため、任意の操作子画像にマウスカーソルを移動し、左クリック操作を行うことにより該操作子画像の指定が行われる。引き続き、右クリック操作を行うことによりオペレータストリップ１２０の各操作子（割当先操作子）が項目として表示される。さらに、左クリック操作を行うことにより割当先操作子が選択される。以下、イコライザ操作子画像１５６がマウスの移動操作および左クリック操作により指定され、割当先操作子として、オペレータストリップ１２０のロータリーエンコーダ１２２が選択されるとしてこれらの処理を説明する。
【００１６】
まず、マウスの移動操作により、図４のルーチンが再び起動される。そして、ステップＳＰ５、ステップＳＰ１０を介して、処理はステップＳＰ２０に進み、マウスカーソルの移動表示が行われる。そして、ステップＳＰ３０において、マウスの左クリック操作が無い限り、「ＮＯ」と判定され、割り込み処理が終了する。さらに、マウスの移動操作が停止するまで、図４のルーチンの起動が繰り返され、マウスカーソルの移動が続行される。
【００１７】
次に、マウスの左クリック操作が行われることにより、図４のルーチンが再び起動される。この場合、ステップＳＰ３０において、該左クリック操作が操作子画像上にマウスカーソルを移動してのマウスの左クリック操作でなければ「ＮＯ」と判定され、割り込み処理が終了する。そして、再びマウスの移動操作が行われる。一方、左クリック操作が操作子画像上に移動してのマウスの左クリック操作であれば「ＹＥＳ」と判定され、処理はステップＳＰ３５に進む。ステップＳＰ３５においては、指定された操作子画像（イコライザ操作子画像１５６）の表示態様が変化し、その操作子画像に対する指定であることが表示される。たとえば、指定された操作子画像の明暗変化によって表示される。そして、処理はステップＳＰ４０に進む。ステップＳＰ４０においては、割当先操作子の選択操作が行われたか否かの判定が行われる。すなわち、指定された操作子画像上でマウスの右クリック操作が行われたか否かの判定が行われる。今回、マウスの左クリック操作が行われたのであるから、右クリック操作がなく「ＮＯ」と判定され、割り込み処理が終了する。
【００１８】
次に、操作子画像が指定された状態で、マウスの右クリック操作により割当先操作子を選択する処理を説明する。まず、マウスの右クリック操作によって、再び図４のルーチンが起動される。
この場合、ステップＳＰ２５において、「ＹＥＳ」と判定され、処理はステップＳＰ４０に進む。ステップＳＰ４０において、マウス操作がステップＳＰ３０において指定された操作子画像上にマウスカーソルを移動しての右クリック操作であれば、「ＹＥＳ」と判定され、処理はステップＳＰ４５に進む。ステップＳＰ４５においては、割当先操作子メニューが表示される。たとえば、ブロック図上のイコライザ操作子画像１５６の指定により、操作子メニュー１６０が表示される（図３参照）。該操作子メニューには、オペレータストリップ１２０に設けられている「スイッチ」、「ロータリーエンコーダ」、「フェーダ」の各項目の表示がされる。なお、イコライザ操作子画像１５６の指定の場合には、イコライザの機能により、ロータリーエンコーダあるいはフェーダが選択されるべきであるので、「スイッチ」の項目が「淡色」で表示される。さらに、設定されたブロック図上の操作子画像の設定を取り消す「取消」項目の表示も行われる。そして、マウスの左クリック操作により割当先操作子の項目が選択される迄待機する。ここで仮に、割当先操作子として「ロータリーエンコーダ」が選択されたとして以下説明する。
【００１９】
次に、処理がステップＳＰ５０に進むと、ブロック図上で指定した操作子画像の操作子機能が選択した割当先操作子に割り当てられる。具体的には、ステップＳＰ３０においてイコライザの高域周波数調整を表現するイコライザ操作子画像１５６が指定されているので、イコライザ機能が割当先操作子（ロータリーエンコーダ１２２）に割り当てられる。さらに、ブロック図上の操作子画像の色が変化し、割り当てられた旨が表示される。そして、割り込み処理が終了する。
【００２０】
そして、オペレータストリップ１２０の各操作子が目的の機能に設定されるまで、上述の処理が複数回繰り返される。この場合のステップＳＰ２５の判定においては、割当先操作子（オペレータストリップ１２０）に割り当てられた操作子画像および割当先操作子に割り当てられていない操作子画像が存在しているが、オペレータストリップ１２０に割り当てられた操作子画像については、判定の対象にされない。すなわち、割当先操作子に割り当てられていない操作子画像に対して、ブロック図上で指定された操作子画像が存在していれば「ＹＥＳ」と判定され、ブロック図上で指定された操作子画像が存在していなければ「ＮＯ」と判定される。また、ステップＳＰ４５において、既に割り当てられた割当先操作子の項目が淡色で表示され、操作子画像の指定が取り消されない限りこの項目の操作子が割り当てられない。さらに、出力側イコライザの操作子画像に対してもオペレータストリップの操作子が割り当てられる。
【００２１】
次に、割当先操作子の設定が完了すると操作者によってアサインスイッチ１３０が再び押下される。それにより、図４のルーチンが再び起動する。
ステップＳＰ５においては、アサインスイッチ押下によって動作モードが通常モードに変更され、アサインスイッチ１３０が消灯する。したがって、ステップＳＰ１０においては、「ＮＯ」と判定され、処理はステップＳＰ１５に進み、通常処理が行われる。しかし、アサインモードから通常モードに変更された際には、何も処理が行われず、割り込み処理が終了する。
【００２２】
さらに、チャンネルストリップ１１０の操作あるいはオペレータストリップ１２０の操作子の操作が行われると、再び図４のルーチンが起動する。再び、ステップＳＰ１０において「ＮＯ」と判定され、通常処理が行われる。すなわち、チャンネルストリップ１１０あるいはオペレータストリップ１２０の操作子の新たな操作状態に基づいて、信号処理および混合処理の設定が行われる。そして、割り込み処理が終了する。具体的に、イコライザ操作子画像１５６がロータリーエンコーダ１２２に割り当てられた場合においては、ロータリーエンコーダ１２２の設定によってイコライザの高域周波数が調整される。そして、ミキシングバスを介して他の入力信号と混合され、さらに出力側イコライザユニット画像１４０を介して出力される。
【００２３】
以上のように、本実施例によれば、ブロック図の機能が理解できれば、初心者であっても容易にオペレータストリップ操作子の機能設定をすることができる。それにより、使用状況によって一つの操作子を複数の機能に使い分け、ミキシング操作を行うことが容易になる。さらに、大きな操作パネルを有するミキシング装置を操作する場合において、手が届き難い所に位置するチャンネルストリップの操作子の機能を手が届き易い所に位置するオペレータストリップの操作子に割り当てることができる。
【００２４】
3．変形例
本発明は上述した実施例に限定されるものではなく、例えば以下のような変形が可能である。
(1)上記実施例においては、オペレータストリップ１２０をミキシング装置本体に設けたが、オペレータストリップ１２０を本体と分離した構成にして、オペレータストリップ１２０によってミキシングを遠隔操作してもよい。
【００２５】
(2)上記実施例においては、ミキサの機能をブロック図にして表示部４０に表示したが、取扱説明書に記載されているブロック図の各スイッチ等に一意的に番号、文字あるいは記号を設定し、ミキシング装置上で該番号、文字あるいは記号を入力することによって、ブロック図上の各スイッチ等をオペレータストリップ操作子に割り当ててもよい。この場合においても、表示部（液晶パネル）上に表示されるブロック図を併用して、該番号、文字あるいは記号を入力することによって、大きなブロック図であっても、目的の操作子画像近辺に画面移動させることができ、操作子画像の指定が容易になる。
【００２６】
(3)上記実施例においては、オペレータストリップ１２０をハードウェア的に構成したが、オペレータストリップ１２０を画面上に表示することも可能である。これにより、ブロック図上で指定された操作子画像に対応するオペレータストリップ操作子を直接操作することができる。なお、ＲＯＭ７０に記憶されたプログラムをＣＤ−ＲＯＭ、フレキシブルディスク等の記憶媒体に格納して頒布し、あるいは電気通信回線を通じて頒布することもできる。
【図面の簡単な説明】
【００２７】
【図１】本発明の一実施例であるミキシング装置（操作子機能設定装置）の構成図である。
【図２】本発明の一実施例であるミキシング装置のパネル外観図である。
【図３】信号処理・混合処理を示すブロック図である。
【図４】フローチャートである。
【符号の説明】
【００２８】
１０…入力インターフェース、１５…出力インターフェース、２０…ＤＳＰ、３０…操作部、４０…表示部、５０…ＣＰＵ、６０…ＲＡＭ、７０…ＲＯＭ、８０…バスライン、１００…ミキシング装置（操作子機能設定装置）、１１０…チャンネルストリップ、１１１…セレクタスイッチ、１１２…ＰＡＮ操作子、１１３，１２３…フェーダ、１１６…ＨＩＧＨ操作子、１１７…ＭＩＤ操作子、１１８…ＬＯＷ操作子、１２０…オペレータストリップ、１２１…スイッチ、１２２…ロータリーエンコーダ、１４０…出力側イコライザユニット画像、１５１…フェーダ操作子画像、１５３…セレクタスイッチ操作子画像、１５５…イコライザユニット画像、１５６，１５７，１５８…イコライザ操作子画像、１６０…操作子メニュー。
【図１】
2006050115.tif 000003
【図２】
2006050115.tif 000004
【図３】
2006050115.tif 000005
【図４】
2006050115.tif 000006